(57)【要約】【課題】着用時の良好な着心地を確保しつつ、ヘルニア等の患部を適切に押圧することのできるショーツを提供する。【解決手段】伸縮性を有する前身頃１１及び後身頃１２を備えたショーツ１０において、前身頃１１及び後身頃１２の内面の任意の位置に着脱可能に形成され、前身頃１１及び後身頃１２の内面における着用者の患部に対応する位置に装着された状態で患部に向かって突出する患部押圧部材２０、患部押圧部材２０が患部に向かって突出する位置に位置決めされた状態を保持する引張力付与部材３０を備える。【選択図】図１
2014151143.tif 000002
【特許請求の範囲】
【請求項１】
伸縮性を有する前身頃及び後身頃を備え、該前身頃と後身頃とによって下方に開口する一対の大腿部回り開口部が形成されたショーツにおいて、
前記前身頃及び後身頃の内面の任意の位置に着脱可能に形成され、該前身頃及び後身頃の内面における着用者の患部に対応する位置に装着された状態で前記患部に向かって突出する患部押圧部材と、
該患部押圧部材が前記患部に向かって突出する位置に位置決めされた状態を保持する保持部材と、
を備えることを特徴とするショーツ。
【請求項２】
前記保持部材は、
前記前身頃及び後身頃に設けられた第１係着部材と、
前記前身頃及び／又は後身頃に引張力を付与しつつ前記第１係着部材と係着する第２係着部材と、を備える引張力付与部材で形成され、
該引張力付与部材は、
前記第２係着部材が前記第１係着部材に係着した際に前記患部押圧部材が前記着用者の患部に付勢される位置に設けられたことを特徴とする請求項１に記載のショーツ。
【請求項３】
前記前身頃及び／又は後身頃の任意の位置に、前記着用者の任意の部位を支持するパッド状の補整部材が設けられることを特徴とする請求項１または２に記載のショーツ。
【発明の詳細な説明】
【技術分野】
【０００１】
本発明は、ショーツ、特に、伸縮性を有する前身頃及び後身頃を備え、この前身頃と後身頃とによって下方に開口する一対の大腿部回り開口部が形成されたショーツに関する。
【背景技術】
【０００２】
外鼠径ヘルニアや脱肛等といった、体内の臓器等が本来あるべき部位から突出する症状（以下「ヘルニア等」という）は、先天的な要因によって幼児期に発症することもあるが、加齢による体内組織の劣化等により発症することもある。特に、高齢化社会の到達が間近に迫っている昨今の状況に鑑みれば、ヘルニア等を発症する人口は、今後更に増加していく傾向にあると考えられる。
【０００３】
ところが、ヘルニア等の罹患者は、医師を含めた他者にヘルニア等の罹患を告知することに抵抗を感じる場合もあり、軽度のヘルニア等であれば医師の治療を受けないでそのまま放置することも考えられる。このような観点から、個人的にヘルニア等の患部を押圧して臓器等の突出を抑制することを目的とした技術が、種々提案されている。
【０００４】
特許文献１には、脱腸突起押圧用部材を備えたヘルニア防止ショーツが開示されている。特許文献１のヘルニア防止ショーツは、略リング状のウエスト部、ウエスト部の幅方向中央部分から偏位してウエスト部の前側下端部分に設けられた前身頃、及び前身頃の下端部からウエスト部の後側下端部分まで連続する後身頃を備える。
【０００５】
前身頃は、ウエスト部の前側下端部分から離間するに従ってその幅が漸次狭くなるように形成され、かつ後身頃は、前身頃の下端部と略同幅でウエスト部の後側下端部分まで連続することから、ヘルニア防止ショーツを着用すると大腿部の付け根部分が大きく露出する。
【０００６】
前身頃の内側にはポケットが形成され、このポケットに、略円柱状に形成されたコルク製の脱腸突起押圧用部材が空隙を有して収容される。ポケットに収容されたこの脱腸突起押圧用部材で患部を押圧するようにヘルニア防止ショーツを着用することによって、臓器等の突出の抑制が図られる。
【先行技術文献】
【特許文献】
【０００７】
【特許文献１】特開２００８−１２０８２号公報
【発明の概要】
【発明が解決しようとする課題】
【０００８】
しかし、特許文献１のヘルニア防止ショーツによれば、脱腸突起押圧用部材が空隙を有してポケットに収容されることから、ポケット内で脱腸突起押圧用部材が揺れ動いてしまい、脱腸突起押圧用部材を安定的に配置することができないこととなる。従って、個人によってそれぞれ位置が異なるヘルニア等の患部に脱腸突起押圧用部材を正確に位置決めすることが困難となることが懸念される。
【０００９】
一方、脱腸突起押圧用部材をヘルニア等の患部に仮に位置決めできたとしても、ヘルニア防止ショーツを着用すると、大腿部の付け根部分が大きく露出することから、身体の動作で体位が変形することによって前身頃がずれてしまうこととなる。その結果、脱腸突起押圧用部材が患部からずれてしまうことが懸念される。
【００１０】
ここで、本発明者の鋭意研究の結果、腹圧による体内からの突出圧力が強いヘルニア等の患部に押圧用部材を正確に位置決めして押圧力を付与するには、身体の動作で体位が変形しても腹圧に抗する付勢力をヘルニア等の患部に付与する必要があることが確認された。
【００１１】
本発明は、上記課題に鑑みてなされたものであり、その目的は、着用時の良好な着心地を確保しつつ、身体の動作による体位変形に追従しながらヘルニア等の患部を適切にかつ常時安定的に押圧することのできるショーツを提供することにある。
【課題を解決するための手段】
【００１２】
上記課題を解決する請求項１に記載の発明は、伸縮性を有する前身頃及び後身頃を備え、該前身頃と後身頃とによって下方に開口する一対の大腿部回り開口部が形成されたショーツにおいて、前記前身頃及び後身頃の内面に着脱可能に形成され、該前身頃及び後身頃の内面の任意の位置における着用者の患部に対応する位置に装着された状態で前記患部に向かって突出する患部押圧部材と、該患部押圧部材が前記患部に向かって突出する位置に位置決めされた状態を保持する保持部材と、を備えることを特徴とする。
【００１３】
この構成によれば、患部押圧部材が、ヘルニア等の患部に対応する位置に装着されたうえで、保持部材によって、患部押圧部材が患部に向かって突出する位置に位置決めされた状態が保持される。これにより、良好な着心地が確保されたうえで、患部押圧部材が着用者の患部に適切に位置決めされて患部が適切に押圧された状態が保持されることから、着用者の体位が変形しても患部押圧部材が患部からずれることがなくなる。
【００１４】
請求項２に記載の発明は、請求項１に記載のショーツにおいて、前記保持部材は、前記前身頃及び後身頃に設けられた第１係着部材と、前記前身頃及び／又は後身頃に引張力を付与しつつ前記第１係着部材と係着する第２係着部材と、を備える引張力付与部材で形成され、該引張力付与部材は、前記第２係着部材が前記第１係着部材に係着した際に前記患部押圧部材が前記着用者の患部に付勢される位置に設けられたことを特徴とする。
【００１５】
この構成によれば、前身頃及び後身頃の内面に設けられた第１係着部材、及び前身頃及び／又は後身頃に引張力を付与しつつ第１係着部材と係着する第２係着部材を有する引張力付与部材を備えることから、前身頃及び／又は後身頃に引張力が付与され、着用者の患部に患部押圧部材を付勢する力が作用する。これにより、患部押圧部材が着用者の患部を適切に押圧しつつ密着することから、患部押圧部材が着用者の患部に位置決めされた状態を効率的に保持することができる。
【００１６】
請求項３に記載の発明は、請求項１または２に記載のショーツにおいて、前記前身頃及び／又は後身頃の任意の位置に、前記着用者の任意の部位を支持するパッド状の補整部材が設けられることを特徴とする。
【００１７】
この構成によれば、前身頃及び／又は後身頃の任意の位置に補整部材が装着され、装着された位置に対応する着用者の任意の部位が補整部材によって支持されることから、ショーツが着用者に密着することと相俟って、患部押圧部材による着用者の患部への密着状態が良好に保持される。従って、患部押圧部材の患部からのずれを効率的に抑制することができる。
【００１８】
しかも、補整部材によって着用者の任意の部位が支持されることから、この部位が引き締められて該部位のシルエットを良好に保持することができる。
【発明の効果】
【００１９】
この発明によると、患部押圧部材がヘルニア等の患部に対応する位置に装着されたうえで、保持部材によって、患部押圧部材が患部に向かって突出する位置に位置決めされた状態が保持される。これにより、良好な着心地が確保されたうえで、患部押圧部材が着用者の患部に適切に位置決めされて患部が適切に押圧された状態が保持されることから、着用者の体位が変形しても患部押圧部材が患部からずれることがなくなる。
【００２０】
従って、患部押圧部材が着用者の患部を適切に押圧して患部押圧部材が患部からずれることがなくなることから、ヘルニア等の罹患者が日常生活において行動する際に患部押圧部材が患部からずれてしまわないように配慮して行動する必要がなくなる。その結果、着用者が日常生活において行動する際の行動上の規制がなくなり、日常生活の質的向上を図ることができる。
【図面の簡単な説明】
【００２１】
【図１】本発明の第１実施の形態に係るショーツの概略を説明する正面図である。
【図２】同じく、本実施の形態におけるショーツの概略を説明する背面図である。
【図３】同じく、本実施の形態に係る患部押圧部材の概略を説明する図であり、（ａ）は側面図、（ｂ）は患部押圧部材が被覆用袋に収納された状態の概略を説明する図である。
【図４】同じく、本実施の形態に係る補整部材の概略を説明する図であり、（ａ）は正面図、（ｂ）は側面図である。
【図５】患部押圧部材の具体例を説明する概略図である。
【図６】本発明の第２実施の形態に係るショーツの概略を説明する正面図である。
【図７】同じく、本実施の形態に係る患部押圧部材の概略を説明する図であり、（ａ）は一の具体例を説明する図、（ｂ）は他の具体例を説明する図である。
【図８】本発明の第３実施の形態に係るショーツの概略を説明する正面図である。
【図９】同じく、本実施の形態におけるショーツの概略を説明する背面図である。
【図１０】本発明の他の実施の形態におけるショーツの概略を説明する図である。
【発明を実施するための形態】
【００２２】
（第１実施の形態）
次に、本発明の第１実施の形態について、図１〜図５に基づいて説明する。
図１は、本発明の実施の形態に係るショーツの概略を説明する正面図であり、図２は、ショーツの概略を説明する背面図である。なお、本実施の形態において、ショーツが通常の下着用として用いられるショーツである場合を例として説明する。
【００２３】
図示のように、ショーツ１０は、伸縮性を有する通気性のよい布地で形成された前身頃１１及び後身頃１２を主要構成として備える。この前身頃１１と後身頃１２とによって、着用者の大腿部の付け根部分を挿通してこの付け根部分に密着する、下方に開口した一対の大腿部回り開口部１３が形成される。
【００２４】
このショーツ１０は、本実施の形態では、主に、外鼠径ヘルニアの罹患者に着用されるものであり、前身頃１１及び／又は後身頃１２の内面に着脱可能に形成された患部押圧部材２０が設けられる。
【００２５】
この患部押圧部材２０は、本実施の形態では、前身頃１１の内面における着用者の外鼠径ヘルニアの患部に対応する位置に装着されて位置決めされた状態で、患部に向かって突出して着用者の患部を押圧する。患部押圧部材２０は、保持部材、本実施の形態では引張力付与部材３０によって、患部に向かって突出する位置に位置決めされた状態が保持される。
【００２６】
更に、ショーツ１０は、前身頃及び／又は後身頃の任意の位置に、着用者の任意の部位を支持するパッド状の補整部材４０を備える。この補整部材４０は、本実施の形態では、後身頃１２における着用者の臀部に対応する位置に着脱可能に設けられており、着用者の臀部を後方から支持する。
【００２７】
次に、本実施の形態におけるショーツ１０の各部の具体的構成について説明する。
【００２８】
前身頃１１は、その下部に着用者の大腿部の外股側に密着する弧状の一対の前身頃側大腿部端縁１３ａ、１３ａが形成されている。一方、後身頃１２は、その下部に着用者の大腿部の内股側に密着する弧状の一対の後身頃側大腿部端縁１３ｂ、１３ｂが形成されている。
【００２９】
この前身頃１１と後身頃１２とは、前身頃１１の端縁１１ａ、１１ａと後身頃１２の端縁１２ａ、１２ａとが互いに縫い合わせられており、前身頃１１の内股側端縁１１ｂと後身頃１２の内股側端縁１２ｂとの間に、着用者の大腿部の内股側に密着する弧状の一対の股布側大腿部端縁１３ｃ、１３ｃが形成された股布１４が縫い合わせられている。
【００３０】
これら前身頃１１、後身頃１２及び股布１４が互いに縫い合わせられることによって、一対の前身頃側大腿部端縁１３ａ、１３ａ、一対の後身頃側大腿部端縁１３ｂ、１３ｂ及び一対の股布側大腿部端縁１３ｃ、１３ｃが連続して、一対の大腿部回り開口部１３がショーツ１０の対称位置に形成される。
【００３１】
この一対の大腿部回り開口部１３の周縁には、ゴム１３Ａが縫い付けられており、腿部回り開口部１３が着用者の大腿部に密着して、ショーツ１０が着用者の臀部側にズレ上がることが抑制される。
【００３２】
なお、この大腿部回り開口部１３の周縁を、ゴム１３Ａに代えて、肌に刺激の少ない伸縮性の高い生地で構成してもよい。
【００３３】
一方、前身頃１１と後身頃１２とが互いに縫い合わせられることによって、前身頃１１の上端部１１ｃと後身頃１２の上端部１２ｃとが連続して、着用者の腰部に密着するウエスト部１５が形成される。このウエスト部１５の周縁には、ゴム１５Ａが縫い付けられている。
【００３４】
なお、このウエスト部１５の周縁を、ゴム１５Ａに代えて、肌に刺激の少ない伸縮性の高い生地で構成してもよい。
【００３５】
更に、前身頃１１側のウエスト部１５の両端側には、面ファスナで構成されたアジャスタ１５ａが形成されており、着用者の腰部にウエスト部１５が適合するように調整可能に構成されている。
【００３６】
これら前身頃１１、後身頃１２及び股布１４を有するショーツ１０を着用者が着用すると、着用者の臀部及び下腹部の全体が包含されるように構成されている。
【００３７】
前身頃１１には、本実施の形態では、そのほぼ全面に亘って放射状の前身頃側重ね部材１６が縫い付けられている。この前身頃側重ね部材１６は、着用者の下腹部の中央領域に位置する基部１６ａ、この基部１６ａの一方の側部から前身頃１１の一方の側部に向かって略水平に延在する第１重ね部材１６ｂ、この第1重ね部材１６ｂの下方で第1重ね部材１６ｂと略平行に延在する第２重ね部材１６ｃ、及び基部１６ａの他方の側部から前身頃１１の他方の側部に向かって略水平に延在する第３重ね部材１６ｄ、この第３重ね部材１６ｄの下方で第３重ね部材１６ｄと略平行に延在する第４重ね部材１６ｅを有する。
【００３８】
さらに、前身頃側重ね部材１６は、基部１６ａの一方の側部における基部１６ａの上部から前身頃１１の上端部１１ｃ側に向かって延在する第５重ね部材１６ｆ、基部１６ａの他方の側部における基部１６ａの上部から前身頃１１の上端部１１ｃ側に向かって延在する第６重ね部材１６ｇ、及び第５重ね部材１６ｆと第６重ね部材１６ｇとの間において基部１６ａの上部から前身頃１１の上端部１１ｃ側に向かって延在する第７重ね部材１６ｈを有する。
【００３９】
一方、前身頃側重ね部材１６の基部１６ａの下部には、基部１６ａから連続するとともに大腿部の内股側の一対の後身頃側大腿部端縁１３ｂ、１３ｂまで延在して一対の後身頃側大腿部端縁１３ｂ、１３ｂと縫合される延在部１６ｉが形成され、この延在部１６ｉが後述する後身頃側重ね部材１７に連続している。
【００４０】
この前身頃側重ね部材１６は、通気性がよくかつ前身頃１１より伸縮性の高い布地で形成され、前身頃側重ね部材１６が縫い付けられた部分において前身頃１１が二層に形成されている。
【００４１】
一方、後身頃１２には、後身頃側重ね部材１７が放射状に縫い付けられている。この後身頃側重ね部材１７は、臀部の一方側から前身頃側重ね部材１６の延在部１６ｉと連続して後身頃１２の上端部１２ｃ側に向かって傾斜して延在する第１重ね部材１７ａ、第１重ね部材１７ａと交差するとともに臀部の他方側から前身頃側重ね部材１６の延在部１６ｉと連続して後身頃１２の上端部１２ｃ側に向かって傾斜して延在する第２重ね部材１７ｂ、及び第１重ね部材１７ａと第２重ね部材１７ｂの交差部分１７ｃから後身頃１２の上端部１２ｃに向かって垂直に延在する第３重ね部材１７ｃを有する。
【００４２】
さらに、後身頃側重ね部材１７は、第１重ね部材１７ａ、第２重ね部材１７ｂ及び第３重ね部材１７ｃと交差するとともに後身頃１２の一方の側部に向かって略水平に延在する第４重ね部材１７ｄ、後身頃１２の他方の側部に向かって略水平に延在する第５重ね部材１７ｅを有する。
【００４３】
この後身頃側重ね部材１７は、通気性がよくかつ後身頃１２より伸縮性の高い布地で形成され、後身頃側重ね部材１７が縫い付けられた部分において後身頃１２が二層に形成されている。
【００４４】
このように、前身頃１１より伸縮性の高い前身頃側重ね部材１６と後身頃１２より伸縮性の高い後身頃側重ね部材１７とは、本実施の形態では連続して一体に形成され、前身頃１１及び後身頃１２にそれぞれ縫い付けられることによって前身頃１１及び後身頃１２に緊張力を付与する。
【００４５】
前身頃１１における一対の大腿部回り開口部１３の間には、スリット１８が形成されている。例えば、ショーツ１０の着用者が要介護者である場合に、ショーツ１０を下ろさないで、このスリット１８から排尿することができる。スリット１８は、通常時は、伸縮性を有しかつ肌に刺激を与えることが少ない面ファスナ等の封止部材１８ａによって封止されている。
【００４６】
前身頃１１及び後身頃１２の内面には、本実施の形態では、面ファスナの雌部材１９が、その全面に亘って設けられている。
【００４７】
図３は、患部押圧部材２０の概略を説明する図であり、（ａ）は側面図、（ｂ）は患部押圧部材２０が被覆用袋に収納された状態の概略を説明する図である。
【００４８】
図３（ａ）で示すように、患部押圧部材２０は、患部押圧部材２０がショーツ１０の取付位置Ｘ１またはＸ２に装着された状態でショーツ１０の内面側に位置する平坦状の基部２０ａ、基部２０ａから離間して患部に向かって突出する突出部２０ｂを有し、突出部２０ｂの頂面２０ｄは、湾曲面を有する略半円球状に形成されている。
【００４９】
この患部押圧部材２０は、本実施の形態では、発泡樹脂材料を発泡させた柔軟性を有するポリウレタンフォームで形成されており、面ファスナの雄部材で構成された取付部材２０ｃが基部２０ａに設けられている。
【００５０】
一方、図３（ｂ）で示すように、上記構成の患部押圧部材２０を、被覆用袋２１に収納してもよい。この場合、取付部材２０ｃは被覆用袋２１に設けられている。この被覆用袋２１は、肌に過度な刺激を与えることのない木綿等の布地で形成されていることが好ましい。
【００５１】
図４は、補整部材４０の概略を説明する図であり、（ａ）は正面図、（ｂ）は側面図である。
【００５２】
図４（ａ）で示すように、補整部材４０は、本実施の形態では、発泡樹脂材料を発泡させた柔軟性を有するポリウレタンフォームで形成され、左側臀部支持部４１及び右側臀部支持部４２を備える。左側臀部支持部４１は、上端縁４０ａの一端から湾曲形成された下端縁４０ｂに移行するに従って漸次膨出する側端縁４０ｄを備え、右側臀部支持部４２は、上端縁４０ａの他端から湾曲形成された下端縁４０ｃに移行するに従って漸次膨出する側端縁４０ｅを備えて形成される。
【００５３】
一方、図４（ｂ）で示すように、補整部材４０は、補整部材４０がショーツ１０に装着された状態でショーツ１０の内面側に位置する裏面４０Ａ、及び着用者の臀部側に位置する表面４０Ｂを有し、上端縁４０ａから下端縁４０ｂ、４０ｃに移行するに従って漸次肉厚が増大して形成されている。裏面４０Ａには、本実施の形態では、面ファスナの雄部材が、その全面に亘って設けられている。
【００５４】
なお、補整部材４０は、例えば、肌に過度な刺激を与えることのない木綿等の布地で形成された被覆用袋に収納されて用いられてもよい。
【００５５】
上記構成を有するショーツ１０に、図１で示す前身頃１１に設定された取付位置Ｘ１またはＸ２に患部押圧部材２０が装着され、図２で示す後身頃１２に設定された取付位置Ｙに補整部材４０が装着される。本実施の形態では、取付位置Ｘ１またはＸ２は、外鼠径ヘルニアの患部である鼠径部に対応する位置に設定されており、取付位置Ｙは、着用者の臀部に対応する位置に設定されている。
【００５６】
次に、引張力付与部材３０について、図１及び図２を用いて説明する。
【００５７】
図示のように、引張力付与部材３０は、面ファスナの雌部材で構成された第１係着部材３０ａ、及びこの第１係着部材３０ａと係着する面ファスナの雄部材で構成された第２係着部材３０ｂによって形成される。
【００５８】
この引張力付与部材３０は、本実施の形態では、前身頃１１の外面において前身頃側重ね部材１６と対応する位置、及び後身頃１２の外面において後身頃側重ね部材１７と対応する位置に複数設けられている。これらの位置は、第２係着部材３０ｂが第１係着部材３０ａに係着した際に患部押圧部材２０が着用者の患部に付勢される位置である。
【００５９】
すなわち、これら各引張力付与部材３０は、第２係着部材３０ｂを第１係着部材３０ａに係着させることで前身頃１１に引張力を付与することが可能な位置に設けられている。これにより、ショーツ１０を着用者が着用した状態で、患部押圧部材２０を着用者の患部に付勢させることが可能となる。
【００６０】
さらに、一対の大腿部回り開口部１３の外股側にはそれぞれ、補助引張力付与部材３１が複数設けられている。この補助引張力付与部材３１は、面ファスナの雌部材で構成された第１係着部材３１ａ、及びこの第１係着部材３１と係着する面ファスナの雄部材で構成された第２係着部材３１ｂによって形成される。
【００６１】
上記構成を有するショーツ１０を、外鼠径ヘルニアの罹患者が着用する場合は、まず、患部押圧部材２０をショーツ１０の取付位置Ｘ１またはＸ２に装着し、補整部材４０をショーツ１０の取付位置Ｙに装着する。この状態でショーツ１０を着用し、患部押圧部材２０が患部を押圧する位置に位置決めされるように微調整を行う。
【００６２】
次に、各引張力付与部材３０の各第２係着部材３０ｂを各第１係着部材３０ａにそれぞれ係着させて、前身頃側重ね部材１６及び後身頃側重ね部材１７を介して前身頃１１に引張力を付与し、患部押圧部材２０を着用者の患部に付勢させる。その後、ウエスト部１５に設けられたアジャスタ１５ａ、１５ａを任意に適宜調整して、着用者の腰部にウエスト部１５が適合するように調整する。
【００６３】
このように、本実施の形態のショーツ１０によると、患部押圧部材２０が、外鼠径ヘルニアの患部に対応する位置に設定された取付位置Ｘ１またはＸ２に装着されたうえで、各第２係着部材３０ｂが各第１係着部材３０ａにそれぞれ係着される。その結果、前身頃側重ね部材１６及び後身頃側重ね部材１７を介して前身頃１１に引張力が付与され、患部押圧部材２０に着用者の患部への付勢力が作用する。これにより、患部押圧部材２０が着用者の患部を適切に押圧しつつ密着することから、着用者の体位が変形しても患部押圧部材２０が患部からずれることがない。
【００６４】
しかも、各引張力付与部材３０は、放射状に形成された前身頃側重ね部材１６の基部１６ａ、第１重ね部材１６ｂ〜第７重ね部材１６ｈ及び延在部１６ｉにそれぞれ設けられ、かつ放射状に形成された後身頃側重ね部材１７の第１重ね部材１７ａ〜第５重ね部材１７ｅにそれぞれ設けられていることから、ショーツ１０の全体に亘って引張力が分散される。従って、着用者に過度な圧迫感を与えることが回避され、良好な着心地が確保されることから、通常のショーツとして日常生活において長時間に亘って着用することができる。
【００６５】
さらに、一対の大腿部回り開口部１３の周縁が着用者の大腿部に密着することから、ショーツ１０が着用者の大腿部に確実に支持される一方、前身頃側重ね部材１６の延在部１６ｉが後身頃側重ね部材１７と連続して前身頃側重ね部材１６と後身頃側重ね部材１７とが一体に形成されていることから、身体の種々の動作によってもショーツ１０が身体からずれることがない。従って、身体の動作によっても患部押圧部材２０が患部からずれることが抑制される。
【００６６】
一方、取付位置Ｙには補整部材４０が装着されて着用者の臀部が後方から支持されることから、患部押圧部材２０による着用者の患部への密着状態が良好に保持される。従って、着用者の体位の変形による患部押圧部材２０の患部からのずれを、効率的に抑制することができる。
【００６７】
さらに、各第２係着部材３０ｂが各第１係着部材３０ａにそれぞれ係着されることで、補整部材４０が着用者の臀部を後方から支持する力が補助され、着用者の臀部を上方に向かって持ち上げることができる。従って、着用者の臀部が引き締められるとともに、臀部のシルエットを良好に保持することができる。
【００６８】
従って、本実施の形態のショーツ１０によると、通常のショーツとして日常生活において長時間に亘って着用しても、良好な着心地が確保された上で患部押圧部材２０が着用者の患部を適切に押圧することから、外鼠径ヘルニアの罹患者が日常生活において行動する際に患部押圧部材２０が患部からずれてしまわないように配慮して行動する必要がなくなる。その結果、着用者が日常生活において行動する際の行動上の規制がなくなり、日常生活の質的向上を図ることができる。
【００６９】
なお、本発明は上記第１実施の形態に限定されることはなく、発明の趣旨を逸脱しない範囲で種々変更可能である。上記第１実施の形態では、患部押圧部材２０が、湾曲面を有する略半円球状に形成された頂面２０ｄを有する突出部２０ｂを備えることを説明したが、患部の形状や大きさ等に合わせて、例えば、図５（ａ）〜（ｅ）で示す形状に構成してもよい。
【００７０】
図５（ａ）で示すように、患部押圧部材２１は、ショーツ１０の取付位置Ｘ１またはＸ２に装着された状態でショーツ１０の内面側に位置する平坦状の基部２１ａ、基部２１ａから離間して患部に向かって突出する円柱状の突出部２１ｂを有する。基部２１ａには、面ファスナで形成された取付部材２１ｃが設けられ、突出部２１ｂの頂面２１ｄは、一方側から他方側に向かって漸次傾斜する傾斜面として構成されている。
【００７１】
図５（ｂ）で示すように、患部押圧部材２２は、ショーツ１０の取付位置Ｘ１またはＸ２に装着された状態でショーツ１０の内面側に位置する平坦状の基部２２ａ、基部２２ａから離間して患部に向かって突出する円柱状の突出部２２ｂを有する。基部２２ａには、面ファスナで形成された取付部材２２ｃが設けられ、突出部２２ｂの頂面２２ｄは、患部を包含しつつ患部に密接する凹凸面として構成されている。
【００７２】
図５（ｃ）で示すように、患部押圧部材２３は、ショーツ１０の取付位置Ｘ１またはＸ２に装着された状態でショーツ１０の内面側に位置する平坦状の基部２３ａ、基部２３ａから離間して患部に向かって突出する円柱状の突出部２３ｂを有する。基部２３ａには、面ファスナで形成された取付部材２３ｃが設けられ、突出部２３ｂの頂面２３ｄは、突部と凹部とが複数連続する鋸状に形成されている。
【００７３】
図５（ｄ）で示すように、患部押圧部材２４は、ショーツ１０の取付位置Ｘ１またはＸ２に装着された状態でショーツ１０の内面側に位置する平坦状の基部２４ａ、基部２４ａから離間して患部に向かって突出する円柱状の突出部２４ｂを有する。基部２４ａには、面ファスナで形成された取付部材２４ｃが設けられ、突出部２４ｂの頂面２４ｄは、平坦状に形成されている。
【００７４】
なお、患部押圧部材２４の突出部２４ｂは、本実施の形態では接合部２４ｅを介して第１突出部２４ｂａ及び第２突出部２４ｂｂを有する二層型に形成され、着用者の患部に対する押圧力を緩衝するように構成されているが、単体の突出部２４ｂとして構成してもよい。
【００７５】
図５（ｅ）で示すように、患部押圧部材２５は、ショーツ１０の取付位置Ｘ１またはＸ２に装着された状態でショーツ１０の内面側に位置する平坦状の基部２５ａ、基部２５ａに対して揺動可能に一端が軸支された平坦状の突出部２５ｂ、基部２５ａと突出部２５ｂとの間に介在されて突出部２５ｂを患部に向かって付勢するスプリング２５ｄを有する。基部２５ａには、面ファスナで形成された取付部材２５ｃが設けられている。
【００７６】
この患部押圧部材２５がショーツ１０に装着される場合は、例えば、その全体がポリウレタンフォームで包含されるように構成される。
【００７７】
これら患部押圧部材２０〜２５は、患部の形状や大きさ等に合わせて着用者が任意に選択可能となるように、種々の素材や大きさ及び形状で形成することが可能である。
【００７８】
上記第１実施の形態では、患部押圧部材２０は発泡樹脂材料を発泡させたポリウレタンフォームであることを説明したが、例えば、患部押圧部材２０を袋状に形成し、袋状の内部に液体や空気等の流体を注入して膨らませるように構成してもよい。患部押圧部材２１〜２４についても、同様の構成とすることができる。さらに、可撓性のある柔軟なゴム、あるいは伸縮性のある布材等の種々の素材を用いて構成することもできる。
【００７９】
上記第１実施の形態では、患部押圧部材２０が取付位置Ｘ１またはＸ２に装着される場合を説明したが、取付位置Ｘ１またはＸ２に限られないで、着用者の患部に対応させた任意の所望の位置に取付位置を設定したうえで着脱することが可能である。
【００８０】
さらに、患部押圧部材２０が収納可能な袋状体を取付位置Ｘ１またはＸ２に予め設けておき、この袋状体に患部押圧部材２０を収納して患部押圧部材２０を装着することもできる。
【００８１】
上記第１実施の形態では、雌部材１９が前身頃１１及び後身頃１２の内面の全面に亘って設けられた場合を説明したが、例えば、患部押圧部材２０を装着する取付位置Ｘ１またはＸ２のみに雌部材１９を設けてもよいし、患部押圧部材２０を装着する着用者の患部に対応させた任意の所望の位置のみに雌部材１９を設けてもよい。
【００８２】
上記第１実施の形態では、引張力付与部材３０は、前身頃１１の外面において前身頃側重ね部材１６と対応する位置、及び後身頃１２の外面において後身頃側重ね部材１７と対応する位置に設けられた場合を説明したが、前身頃１１の内面において前身頃側重ね部材１６と対応する位置、及び後身頃１２の内面において後身頃側重ね部材１７と対応する位置に設けられていてもよい。この場合は、着用者の肌に刺激を与えないように、引張力付与部材３０を布地で被覆することが好ましい。
【００８３】
上記第１実施の形態では、補整部材４０が取付位置Ｙに装着される場合を説明したが、取付位置Ｙに限られないで着用者の任意の所望の位置に取り付けることが可能である。一方、ショーツ１０の前身頃１１及び／又は後身頃１２の内面に限られないで、前身頃１１及び／又は後身頃１２の外面に装着されるように構成してもよい。さらに、補整部材４０は、着用者の要望に応じてショーツ１０に複数個が装着可能となるように構成してもよい。
【００８４】
このとき、補整部材４０は、複数の補整部材４０が互いに重ね合わせられて面ファスナ等で係着された状態でショーツ１０に装着されるように構成することもできる。これにより、着用者の下腹部及び臀部のシルエットを着用者の所望の状態に良好に保持するために、適宜調整することが可能となる。
【００８５】
さらに、補整部材４０が収納可能な袋状体を取付位置Ｙに予め設けておき、この袋状体に補整部材４０を収納して補整部材４０を装着することもできる。
【００８６】
一方、補整部材４０を前身頃１１及び／又は後身頃１２の任意の位置に縫いつけあるいは編みこんだり、接着材料等で任意の位置に接着したり、加熱して任意の位置に溶着したりしてもよい。
【００８７】
男性が着用する場合を想定してショーツ１０を構成する場合は、前身頃１１におけるスリット１８の形成された位置に、陰茎及び陰嚢が収納される陰茎陰嚢収納袋を形成してもよい。このような陰茎陰嚢収納袋に陰茎及び陰嚢が収納されることによって、より適切に患部押圧部材２０を着用者の患部に密着させて押圧することができる。
【００８８】
（第２実施の形態）
次に、本発明の第２実施の形態について、図６及び図７に基づいて説明する。なお、図６及び図７において、図１〜５と同様の構成には同一の符号を付して、その詳細な説明を省略する。
【００８９】
図６は、本実施の形態に係るショーツ１０の概略を説明する図である。図示のように、ショーツ１０は、本実施の形態では、主に、脱肛あるいは子宮内脱腸といったヘルニア等の罹患者に着用されるものであり、前身頃１１及び／又は後身頃１２の内面に着脱可能に形成された患部押圧部材５０が設けられる。
【００９０】
この患部押圧部材５０は、前身頃１１及び後身頃１２の内面における着用者のヘルニア等の患部に対応する位置に装着されて位置決めされた状態で、患部に向かって突出して着用者の患部を押圧する。
【００９１】
図７は、患部押圧部材５０の概略を説明する図であり、（ａ）は一の具体例である患部押圧部材５１を説明する図、（ｂ）は他の具体例である患部押圧部材５２を説明する図である。
【００９２】
図７（ａ）で示すように、患部押圧部材５１は、患部押圧部材５０がショーツ１０の取付位置Ｘ３に装着された状態でショーツ１０の内面側に位置する平坦状の基部５１ａ、基部５１ａから離間して患部に向かって突出する突出部５１ｂを有し、突出部５１ｂの頂面５１ｄは、湾曲面を有する球面状に形成されている。
【００９３】
この基部５１ａと突出部５１ｂとは、中間部５１ｃを介して互いに連結されている。中間部５１ｃと基部５１ａとは、ボールジョイント５１ｅを介して互いに連結され、中間部５１ｃと突出部５１ｂとが、図示しないスプリングが内蔵された伸縮部５１ｆを介して互いに回動可能に連結されている。
【００９４】
この患部押圧部材５１の突出部５１ｂは、本実施の形態では、発泡樹脂材料を発泡させた柔軟性を有するポリウレタンフォームで形成されており、突出部５１ｂの頂面５１ｄには、肌に刺激の少ない柔軟性を有する布地５１ｇが設けられている。患部押圧部材５１の基部５１ａには、面ファスナの雄部材で構成された取付部材５１ｃが設けられている。
【００９５】
一方、図７（ｂ）で示すように、患部押圧部材５２は、患部押圧部材５２がショーツ１０の取付位置Ｘ３に装着された状態でショーツ１０の内面側に位置する円柱状の基部５２ａ、基部５２ａから離間して患部に向かって突出する突出部５２ｂを有し、突出部５２ｂの頂面５２ｄは平坦状に形成されている。
【００９６】
この基部５２ａと突出部５２ｂとは、第１中間部５２ｅ及び第２中間部５２ｆを介して互いに連結されている。第１中間部５２ｅ及び第２中間部５２ｆは、第１中間部５２ｅに内蔵された図示しないスプリングを介して互いに伸縮可能に連結され、第１中間部５２ｅと突出部５２ｂとがボールジョイント５２ｇを介して互いに連結され、第２中間部５２ｆと基部５２ａとがボールジョイント５２ｈを介して互いに連結されている。
【００９７】
この患部押圧部材５２の突出部５２ｂは、本実施の形態では、発泡樹脂材料を発泡させた柔軟性を有するポリウレタンフォームで形成されており、面ファスナの雄部材で構成された取付部材５２ｃが、基部５２ａに設けられている。
【００９８】
この患部押圧部材５１または５２は、着用者の患部の形状や大きさに合わせて、適宜選択して用いることが可能である。さらに、患部押圧部材５１または５２は、患部の形状や大きさ等に合わせて着用者が任意に選択可能となるように、種々の大きさ、形状及び素材で形成することが可能である。
【００９９】
上記構成を有するショーツ１０に、後身頃１２に設定された取付位置Ｘ３に患部押圧部材５０が装着される。本実施の形態では、取付位置Ｘ３は、脱肛あるいは子宮内脱腸の患部である着用者の肛門部分に対応する位置に設定されている。
【０１００】
上記構成を有するショーツ１０を、ヘルニア等の罹患者が着用する場合は、患部押圧部材５１または５２をショーツ１０の取付位置Ｘ３に装着したうえで、ショーツ１０を着用し、患部押圧部材５１または５２が患部を押圧する位置に配置されるように微調整を行う。
【０１０１】
このように、本実施の形態のショーツ１０によると、患部押圧部材５１または５２が、ヘルニア等の患部に対応する位置に設定された取付位置Ｘ３に装着されたうえで、患部押圧部材５１または５２に着用者の患部への付勢力が作用する。これにより、患部押圧部材５１または５２が着用者の患部を適切に押圧しつつ密着することから、身体の種々の動作によって着用者の体位が変形しても患部押圧部材５１または５２が患部からずれることがない。
【０１０２】
従って、本実施の形態のショーツ１０によると、第１実施の形態と同様に、通常のショーツとして日常生活において長時間に亘って着用しても、良好な着心地が確保された上で患部押圧部材５１または５２が着用者の患部を適切に押圧することから、ヘルニア等の罹患者が日常生活において行動する際に患部押圧部材５１または５２が患部からずれてしまわないように配慮して行動する必要がなくなる。その結果、日常生活において行動する際に、行動上の規制がなくなり、日常生活の質的向上を図ることができる。
【０１０３】
なお、上記第２実施の形態では、上記第１実施の形態と同様に、例えば、患部押圧部材５１または５２を装着する取付位置Ｘ３のみに雌部材１９を設けてもよいし、患部押圧部材５１または５２を装着する着用者の患部に対応させた所望の位置のみに雌部材１９を設けてもよい。
【０１０４】
（第３実施の形態）
次に、本発明の第３実施の形態について、図８及び図９に基づいて説明する。なお、図８及び図９において、図１〜７と同様の構成には同一の符号を付して、その詳細な説明を省略する。
【０１０５】
図８は、本実施の形態に係るショーツの概略を説明する正面図であり、図９は、ショーツの概略を説明する背面図である。本実施の形態のショーツ１０は、主に、着用者の体型の保持といった美的効果を得ることを目的して着用されるものである。
【０１０６】
図８で示すように、前身頃１１には、そのほぼ全面に亘って放射状の前身頃側重ね部材６０が縫い付けられている。この前身頃側重ね部材６０は、着用者の下腹部の中央領域に位置する基部６０ａ、この基部６０ａの一方の側部から前身頃１１の一方の側部に向かって略水平に延在する第１重ね部材６０ｂ、及び基部６０ａの他方の側部から前身頃１１の他方の側部に向かって略水平に延在する第２重ね部材６０ｃを有する。
【０１０７】
さらに、前身頃側重ね部材６０は、基部６０ａの一方の側部における基部６０ａの上部から前身頃１１の上端部１１ｃ側に向かって延在する第３重ね部材６０ｄ、基部６０ａの他方の側部における基部６０ａの上部から前身頃１１の上端部１１ｃ側に向かって延在する第４重ね部材６０ｅ、及び第３重ね部材６０ｄと第４重ね部材６０ｅとの間において基部６０ａの上部から前身頃１１の上端部１１ｃ側に向かって延在する第５重ね部材６０ｆを有する。
【０１０８】
この前身頃側重ね部材６０は、通気性がよくかつ前身頃１１より伸縮性の高い布地で形成され、前身頃側重ね部材６０が縫い付けられた部分において前身頃１１が二層に形成されている。
【０１０９】
上記構成の前身頃側重ね部材６０と対応する位置に、引張力付与部材３０が設けられている。引張力付与部材３０は、本実施の形態では、前身頃１１の外面において前身頃側重ね部材６０と対応する位置に複数設けられている。これらの位置は、第２係着部材３０ｂが第１係着部材３０ａに係着した際に着用者の下腹部及び臀部が所望の形状に引き締められる位置である。
【０１１０】
一方、図９で示すように、後身頃１２には、放射状に形成された後身頃側重ね部材６１が縫い付けられている。この後身頃側重ね部材６１は、後身頃１２における着用者の腰部と臀部との間に対応する位置において水平方向に延在する帯状の基部６１ａを有する。
【０１１１】
この後身頃側重ね部材６１は、基部６１ａの一方側における基部６１ａの上部から後身頃１２の上端部１２ｃ側に向かって延在する第１重ね部材６１ｂ、基部６１ａの他方側における基部６１ａの上部から後身頃１２の上端部１２ｃ側に向かって延在する第２重ね部材６１ｃ、及び第１重ね部材６１ｂと第２重ね部材６１ｃとの間において基部６１ａの上部から後身頃１２の上端部１２ｃ側に向かって延在する第３重ね部材６１ｄを有する。
【０１１２】
さらに、後身頃側重ね部材６１は、基部６１ａの下部から臀部の一方側に向って延在する第４重ね部材６１ｅ、及び基部６１ａの下部から臀部の他方側に向って延在する第５重ね部材６１ｆを有する。これら第４重ね部材６１ｅ及び第５重ね部材６１ｆによって、着用者の臀部が下方から支持されて臀部に緊張力が付与される。
【０１１３】
この後身頃側重ね部材６１は、通気性がよくかつ後身頃１２より伸縮性の高い布地で形成され、後身頃側重ね部材６１が縫い付けられた部分において後身頃１２が二層に形成されている。
【０１１４】
上記構成の後身頃側重ね部材６１に、引張力付与部材３０が設けられている。引張力付与部材３０は、本実施の形態では、後身頃１２の外面において後身頃側重ね部材６１と対応する位置に複数設けられている。これらの位置は、第２係着部材３０ｂが第１係着部材３０ａに係着した際に着用者の下腹部及び臀部が所望の形状に引き締められる位置である。
【０１１５】
これら前身頃１１及び後身頃１２に設けられた第２係着部材３０ｂを、着用者の要望に応じて選択的にあるいはその全部を第１係着部材３０ａに係着させることによって、着用者の下腹部及び臀部が着用者の体型に応じた所望の形状に引き締められる。従って、着用者の下腹部及び臀部のシルエットを良好に保持して着用者の体型を保持するという美的効果を得ることができる。
【０１１６】
なお、本発明は上記第１〜第３実施の形態に限定されることはなく、発明の趣旨を逸脱しない範囲で種々変更可能である。上記第１〜第３実施の形態では、スリット１８が形成された場合を説明したが、例えば図１０（ａ）で示すように、ショーツ１０の股部分を分割した形状に形成することもできる。
【０１１７】
図示のように、ショーツ１０は、後身頃１２に股布１４が連続して一体に形成され、股布１４の前端部１４ａが、前身頃１１の下端部１１Ａに着脱可能に形成されている。具体的には、前身頃１１の表面側における下端部１１Ａに面ファスナの雄部材（または雌部材）３２ａが設けられるとともに、股布１４の裏面側における前端部１４ａに面ファスナの雌部材（または雄部材）３２ｂが設けられている。
【０１１８】
一方、後身頃１２の表面側における下端部１２Ａに面ファスナの雄部材（または雌部材）３３ａが設けられるとともに、股布１４の表面側における前端部１４ａに面ファスナの雌部材（または雄部材）３３ｂが設けられている。
【０１１９】
上記構成のショーツ１０によれば、用便時に前身頃１１の雄部材（または雌部材）３２ａと股布１４の雌部材（または雄部材）３２ｂとの係着を解除するとともに、後身頃１２の雄部材（または雌部材）３３ａと股布１４の雌部材（または雄部材）３３ｂとを係着させる。これにより、後身頃１２に連続して一体に形成された股布１４が、用便時の排泄物に付着することが阻止される。
【０１２０】
一方、ショーツ１０は、例えば図１０（ｂ）に示すように、股部分の下方を開放可能な形状に形成することもできる。このショーツ１０は、互いに対称的に形成された一対のショーツ第１構成部１０−１及びショーツ第２構成部１０−２によって形成されている。ショーツ第１構成部１０−１及びショーツ第２構成部１０−２にはそれぞれ、着用者の大腿部の付け根部分を挿通する、下方に開口した一対の大腿部回り開口部１３が形成される。
【０１２１】
なお、ショーツ第１構成部１０−１及びショーツ第２構成部１０−２は、同様の構成を有することから、必要がある場合を除き、ショーツ第１構成部１０−１を例として説明する。
【０１２２】
ショーツ第１構成部１０−１は、前身頃構成部１１−１及び後身頃構成部１２−１を有して形成される。前身頃構成部１１−１は、ウエスト部１５から下方に移行するに従って大腿部回り開口部１３側に漸次傾斜する前身頃端縁１１Ｂを有し、後身頃構成部１２−１は、ウエスト部１５から下方に移行するに従って大腿部回り開口部１３側に漸次傾斜する後身頃端縁１２Ｂを有する。
【０１２３】
上記構成のショーツ第１構成部１０−１及びショーツ第２構成部１０−２によって、ショーツ１０は、股部分の下方が開放された形状に形成されている。このショーツ１０のショーツ第１構成部１０−１における前身頃構成部１１−１の前身頃端縁１１Ｂには、面ファスナの雄部材（または雌部材）３４ａが設けられ、ショーツ第２構成部１０−２における前身頃構成部１１−２の前身頃端縁１１Ｂには、面ファスナの雌部材（または雄部材）３４ｂが設けられている。
【０１２４】
上記構成のショーツ１０によれば、用便時に一対の前身頃構成部１１−１における前身頃端縁１１Ｂにそれぞれ設けられた雄部材（または雌部材）３４ａと雌部材（または雄部材）３４ｂとの係着を解除し、用便後は、一対の前身頃構成部１１−１における前身頃端縁１１Ｂにそれぞれ設けられた雄部材（または雌部材）３４ａと雌部材（または雄部材）３４ｂとを係着させることができる。
【０１２５】
これにより、用便後は、一対の前身頃構成部１１−１における前身頃端縁１１Ｂにそれぞれ設けられた雄部材（または雌部材）３４ａと雌部材（または雄部材）３４ｂとを係着させることが可能となることから、ショーツ１０の着用者の意に反してショーツ１０の股部分の下方が開放することが阻止される。
【０１２６】
さらに、ショーツ１０は、例えば図１０（ｃ）に示すように、股部分に略矩形に切り欠いて形成された開口部７０を形成することも可能である。開口部７０の直上には面ファスナの雄部材（または雌部材）３５ａを設け、開口部７０の下部には、この開口部７０を封止する封止カバー７１が設けられている。
【０１２７】
この封止カバー７１の裏面側には、雄部材（または雌部材）３５ａと係着可能な雌部材（または雄部材）３５ｂが設けられるとともに、封止カバー７１の先端側における表面側には、雄部材（または雌部材）３６ａ、及び封止カバー７１の基端側における表面側には、雄部材（または雌部材）３６ａと係着可能な雌部材（または雄部材）３６ｂが設けられている。
【０１２８】
なお、封止カバー７１の両側部と開口部７０の両側部とが係着可能となるように、封止カバー７１の両側部の裏面側に雄部材（または雌部材）を設けるとともに、開口部７０の両側部に雌部材（または雄部材）を設けてもよい。
【０１２９】
この封止カバー７１は、例えばレース地といった目が粗く極めて通気性のよい素材で形成されており、湿気の多い時期においても極めて良好な通気性が確保され、いわゆる蒸れ防止に資する。
【０１３０】
一方、封止カバー７１を開口部７０の中央部から開口部７０の左右方向に開閉可能とするように構成してもよい。さらに、開口部７０の形状、大きさ及び封止カバー７１の素材は、適宜選択可能である。
【０１３１】
上記構成のショーツ１０によれば、用便時に封止カバー７１の雌部材（または雄部材）３５ｂと開口部７０の直上に設けられた雄部材（または雌部材）３５ａとの係着を解除するとともに、封止カバー７１の先端側における表面側の雄部材（または雌部材）３６ａと封止カバー７１の基端側における表面側の雌部材（または雄部材）３６ｂとを係着させる。これにより、開口部７０の下部に設けられた封止カバー７１が、用便時の排泄物に付着することが阻止される。
【０１３２】
引張力付与部材３０は、上記第１及び第２実施の形態における前身頃側重ね部材１６及び後身頃側重ね部材１７の上記の位置に限定されることなく、患部押圧部材２０が着用者の患部に付勢される任意の位置に設けることができる。
【０１３３】
さらに、引張力付与部材３０は、上記第３実施の形態における前身頃側重ね部材６０及び後身頃側重ね部材６１の上記の位置に限定されることなく、着用者の下腹部及び臀部が所望の形状に引き締められる任意の位置に設けることができる。
【０１３４】
上記第１〜第３実施の形態では、引張力付与部材３０がショーツ１０の前身頃１１及び後身頃１２における外面に設けられていることを説明したが、例えば、前身頃１１の内面及び後身頃１２の内面における前身頃側重ね部材１６（６０）及び後身頃側重ね部材１７（６１）と対応する位置に設けることもできる。
【０１３５】
上記第１〜第３実施の形態では、ショーツ１０は、一対の大腿部回り開口部１３を構成する一対の股布側大腿部端縁１３ｃ、１３ｃを有する股布１４を備える場合を説明したが、例えば、股布１４を、前身頃１１の下部側及び後身頃１２の下部側に拡大させた股布、すなわち、股布１４よりもその大きさを拡大させて、着用者の大腿部の内股側における陰部の下部及び臀部の下部を被覆する股布として構成してもよい。
【０１３６】
この場合、股布は、例えばレース地といった目が粗く極めて通気性のよい素材で形成されており、湿気の多い時期においても極めて良好な通気性が確保され、着用者の着心地を向上させることができる。この股布の形状、大きさ及び素材等は、適宜選択可能である。
【０１３７】
上記第１〜第３実施の形態では、ショーツ１０が通常の下着用のショーツとして構成された場合を説明したが、ショーツ１０が例えば水着、あるいはガードルといったインナーウェアとして構成してもよい。
【符号の説明】
【０１３８】
１０    ショーツ
１１    前身頃
１２    後身頃
１３    大腿部回り開口部
１６、６０    前身頃側重ね部材
１７、６１    後身頃側重ね部材
２０、５０    患部押圧部材
３０    引張力付与部材
３０ａ    第１係着部材
３０ｂ    第２係着部材
４０    補整部材
Ｘ１〜Ｘ３    取付位置
Ｙ    取付位置
【図１】
2014151143.tif 000003
【図２】
2014151143.tif 000004
【図３】
2014151143.tif 000005
【図４】
2014151143.tif 000006
【図５】
2014151143.tif 000007
【図６】
2014151143.tif 000008
【図７】
2014151143.tif 000009
【図８】
2014151143.tif 000010
【図９】
2014151143.tif 000011
【図１０】
2014151143.tif 000012